(57)【要約】  ウェイトを含む、ゴルフクラブ用のグリップを提供する。グリップは、第一ねじ部を有する開口部を含む。ウェイトは、グリップの第一ねじ部と係合するように構成された第二ねじ部を含む。
2016518227.tif 000002
【特許請求の範囲】
【請求項１】
第一端部と第二端部とを有する細長部材を備えるゴルフクラブグリップであって、
前記第一端部は、ゴルフクラブシャフトを受容するように構成され、前記第二端部は、第一ねじ部を内部に備える開口部を含む、ゴルフクラブグリップ。
【請求項２】
前記開口部に受容されたインサートをさらに備え、前記インサートは、前記第一ねじ部を備える、請求項１に記載のゴルフクラブグリップ。
【請求項３】
前記細長部材は第一材料から構成され、前記インサートは、前記第一材料とは異なる第二材料から構成される、請求項２に記載のゴルフクラブグリップ。
【請求項４】
前記インサートは、前記細長部材の前記開口部に係合する少なくとも一つの突起を含む、請求項２に記載のゴルフクラブグリップ。
【請求項５】
前記インサートはフランジを備え、前記フランジの上面は、前記インサートが前記開口部に受容されると、前記細長部材の前記第二端部と同一平面上になる、請求項２に記載のゴルフクラブグリップ。
【請求項６】
シャフトを含むゴルフクラブ用のグリップシステムであって、前記システムは、
第一部材端部と第二部材端部とを有する細長部材であって、前記第一部材端部は第一ねじ部を有する開口部を備え、前記第二部材端部は、前記シャフトを受容するように構成される細長部材と、
第一ウェイト端部と第二ウェイト端部とを備えるウェイトであって、前記第一ウェイト端部は、前記細長部材の前記第一ねじ部と係合するように構成された第二ねじ部を備えるウェイトと
を備えるシステム。
【請求項７】
前記ウェイトは、第一ウェイト端部が前記細長部材の前記第一部材端部と同一平面上になるように前記細長部材内に受容される、請求項６に記載のシステム。
【請求項８】
フランジを有するインサートをさらに備え、前記フランジ及び前記第一ウェイト端部は、前記細長部材の前記第一部材端部と同一平面上にある、請求項７に記載のシステム。
【請求項９】
前記第一ウェイト端部は、固定ソケットを有する、請求項６に記載のシステム。
【請求項１０】
前記第一ねじ部と前記第二ねじ部との間に配置された固定用接着剤をさらに備える、請求項６に記載のシステム。
【請求項１１】
ヘッドと、
第一シャフト端部と第二シャフト端部とを有し、前記第二シャフト端部は前記ヘッドに固定されるシャフトと、
第一グリップ端部と第二グリップ端部とを有するグリップであって、前記第一グリップ端部は、第一ねじ部を有する第一グリップ開口部を含み、前記第二グリップ端部は、前記シャフトの前記第一シャフト端部を受容するように構成されるグリップと、
第一ウェイト端部と第二ウェイト端部とを有し、前記第一ウェイト端部は、前記グリップの前記第一ねじ部と係合するように構成された第二ねじ部を含むウェイトと
を備える、ゴルフクラブ。
【請求項１２】
前記ヘッドは、パター、ウェッジ及びドライバーのうちの一つを備える、請求項１１に記載のゴルフクラブ。
【請求項１３】
前記ウェイトは、前記第二ウェイト端部が前記第二グリップ端部と同一平面上になるように前記グリップ内に受容される、請求項１１に記載のゴルフクラブ。
【請求項１４】
前記第一グリップ開口部に取り付けられたインサートをさらに含み、前記インサートは、前記第一ねじ部を含む、請求項１１に記載のゴルフクラブ。
【請求項１５】
前記インサートは、前記第一グリップ開口部と係合する少なくとも一つの突起を含む、請求項１４に記載のゴルフクラブ。
【請求項１６】
前記インサートはフランジを含み、前記フランジの外面は、前記インサートが前記第一グリップ開口部に取り付けられると、前記第一グリップ端部と同じ平面上になる、請求項１４に記載のゴルフクラブ。
【請求項１７】
前記第一ウェイト端部は、前記インサートの前記外面と同一平面上にある、請求項１６に記載のゴルフクラブ。
【請求項１８】
前記グリップは第一材料から製造され、前記インサートは前記第一材料とは異なる第二材料から製造される、請求項１４に記載のゴルフクラブ。
【請求項１９】
前記第一ウェイト端部は固定ソケットを含む、請求項１１に記載のゴルフクラブ。
【請求項２０】
前記第一ねじ部と前記第二ねじ部との間に配置された接着剤をさらに備える、請求項１１に記載のゴルフクラブ。
【発明の詳細な説明】
【技術分野】
【０００１】
本開示は、ゴルフクラブ用のグリップに関し、より詳細には、ゴルフクラブ用の内部ウェイトシステムを含むグリップに関する。
【背景技術】
【０００２】
本項は、本開示に関連した背景情報について説明するが、必ずしも先行技術とは限らない。
【０００３】
ゴルファーのスイングの改良に加え、ゴルフクラブのウェイトは、ゴルフのショットの距離と精度に影響を与えることがある。従って、ゴルフのショットの距離や精度を改善及び／又は完全なものにするために、ゴルファーがゴルフクラブのウェイトを調整できることは有利であるといえる。
【０００４】
＜関連する出願への相互参照＞
本出願は、２０１４年５月１９日に出願された米国実用特許出願第１４／２８１，０５５号に優先権を主張し、また、２０１３年５月１７日に出願された米国仮特許出願第６１／８２４，６６２号に優先権を主張する。上記各出願の全ての内容を参照により本願明細書に援用する。
【発明の概要】
【課題を解決するための手段】
【０００５】
一形態では、本開示は、第一端部と第二端部とを有する細長部材を備えるゴルフクラブグリップを提供する。第一端部は、ゴルフクラブシャフトを受容するように構成され、第二端部は、第一ねじ部を内部に備える開口部を含む。
【０００６】
別の形態では、本開示は、第一部材端部と第二部材端部とを有する細長部材を備えるシャフトを含む、ゴルフクラブ用のグリップシステムを提供する。第一部材端部は、第一ねじ部を有する開口部を備え、第二部材端部は、シャフトを受容するように構成される。該システムは、さらに第一ウェイト端部と第二ウェイト端部とを有するウェイトを備える。第一ウェイト端部は、細長部材の第一ねじ部と係合するように構成された第二ねじ部を含む。
【０００７】
さらに別の形態では、本開示は、ヘッドと、シャフトと、グリップと、ウェイトとを備えるゴルフクラブを提供する。シャフトは、第一シャフト端部と第二シャフト端部とを有し、第二シャフト端部はヘッドに固定される。グリップは、第一グリップ端部と第二グリップ端部とを有する。第一グリップ端部は、第一ねじ部を有する第一グリップ開口部を含み、第二グリップ端部は、シャフトの第一シャフト端部を受容するように構成される。ウェイトは、第一ウェイト端部と第二ウェイト端部とを有する。第一ウェイト端部は、グリップの第一ねじ部と係合するように構成された第二ねじ部を含む。
【０００８】
本明細書における記載から、適用性のさらなる領域が明らかとなるであろう。説明及び特定の各実例は例示のみを目的とし、本開示の範囲を限定するものではないことを理解されたい。
【０００９】
本明細書に記載の各図面は、全ての可能な実施態様ではなく選択された各実施形態の例示のみを目的とし、本開示の範囲を限定することを意図していない。
【００１０】
対応する参照番号は、各図面の幾つかの図にわたって対応する部品を示している。
【図面の簡単な説明】
【００１１】
【図１】図１は、本開示の教示によるグリップと内部ウェイトシステムとを含む例示的なゴルフクラブの正面図であり、該例示的なゴルフクラブは、シャフト及びヘッドも含んでいる。
【図２】図２は、グリップ、内部ウェイトシステム、及びシャフトの部分分解斜視図である。
【図３】図３は、グリップ、内部ウェイトシステム、及びシャフトの別の部分分解斜視図である。
【図４】図４は、図３の線４−４に沿った内部ウェイトシステムの断面図である。
【図５】図５は、グリップに加えて、本開示の教示によるインサートの底面図である。
【図６】図６は、グリップとシャフトに加えて、本開示の教示によるグリップキャップの部分分解図である。
【発明を実施するための形態】
【００１２】
以下の説明は、事実上単に例示的にすぎず、本開示、適用又は使用を制限するものではない。明確にするために、各図面において同じ参照番号を用いて同様の各構成要件を特定する。各実施例を提供し、それによって本説明を完全なものにし、また、当業者に範囲を十分に伝達するようにする。本開示の各実施例を完全に理解するために、特定の構成要素の各実施例など、多数の特定な詳細を明記する。特定の詳細を必ずしも採用する必要はなく、各実施例は多くの異なる形態に具現化されてもよく、また、各実施例が本説明の範囲を限定すると解釈されるべきではないということが当業者に明らかとなるであろう。さらに、本開示の教示は、装置のウェイトを調整することが有利及び／又は望ましい他の応用に対して適用されてもよいことを理解されたい。例えば、そのような応用は、テニスラケット、釣り竿及び／又はホッケー用スティックを含んでもよいが、それらに限定されるわけではない。
【００１３】
図１を参照すると、ヘッド１２、シャフト１４、及びグリップ１６を有するゴルフクラブ１０が示されている。ヘッド１２は、ゴルフ場のさまざまな場所からゴルフボール（不図示）を打つように構成できる。例えば、ヘッド１２は、パッティンググリーンから（すなわち、図示のようにパター）、ティー・ボックスから（すなわち、ドライバー）、或いは、フェアウェイ、ラフ、バンカーから（すなわち、アイアン又はウェッジ）ゴルフボールを打つように構成できる。
【００１４】
図１から図３及び図６を参照すると、シャフト１４は、第一端部１８と第二端部２０との間に延在する細長部材である。シャフト１４は、金属（すなわち、スチールシャフト）又は炭素繊維（すなわち、グラファイトシャフト）などの適切な材料から製造されてもよい。シャフト１４の第一端部１８は、グリップ１６を受容するように構成され、シャフト１４の第二端部２０は、ヘッド１２に固定される。シャフト１４は、端部１８と端部２０との間において一様な断面を維持してもよく、又は該断面は、第一端部１８と第二端部２０との間において先細りしてもよい。シャフト１４は、各端部１８、２０にわたって中空でもよく、又は、シャフト１４は、第一端部１８から第二端部２０に向かって少なくとも部分的に延在する内腔（bore）を含んでいてもよい。従って、シャフト１４は、外面２２と、少なくとも第一端部１８に近接する内側チャネル又はキャビティ２４とを含んでいる。
【００１５】
グリップ１６は、天然ゴム又は合成ゴム、又はエラストマー材料などの適切な材料から製造できる細長及び中空部材である。グリップ１６は、第一端部２６、対向する第二端部２８、内側グリップキャビティ３０、及び外側グリップ面３２を含む。グリップ１６の第一端部２６は、内部ウェイトシステム５０をグリップ１６に取り付けるために、インサート３４を受容するように構成された開口部３３を含む。グリップ１６の第二端部２８は、シャフト１４を内側グリップキャビティ３０内に受容するように構成された第二開口部を含んでいてもよい。シャフト１４は、シャフト１４の第一端部１８がグリップ１６の第一端部２６と略同一平面上又は一致するように、内側グリップキャビティ３０内に受容され得る。内側グリップキャビティ３０の形状は、少なくともシャフト１４の第一端部１８付近においてシャフト１４の外面２２の形状に対応してもよい。つまり、シャフト１４の外面２２が少なくとも第一端部１８付近において円形、又は五角形であるならば、内側グリップキャビティ３０も同様にそれぞれ円形又は五角形であってもよい。接着剤又は接合剤が内側グリップキャビティ３０とシャフト１４の外面２２との間に適用されてもよく、それによってグリップ１６が横滑りすること及び／又はシャフト１４に対して軸回転することを制限する。外側グリップ面３２は、例えば、五角形、六角形、又は卵形などの任意の形状であってもよい。
【００１６】
図２及び図５を参照すると、インサート３４は、金属又は高分子材料などの適切な材料から製造され得る環状部材である。インサート３４は、環状フランジ３６と環状体３８とを含む。環状体３８は、外面４０と内面４２とを含む。環状フランジ３６の上面４４がグリップ１６の第一端部２６と略同一平面上になるように、インサート３４をグリップ１６の開口部３３内に受容できる。複数の突起４６ａ、４６ｂ、４６ｃ、４６ｄは、環状体３８の外面４０から半径方向外側に延在する。各突起４６ａ、４６ｂ、４６ｃ、４６ｄは、内側グリップキャビティ３０と係合するように構成され、インサート３４のグリップ１６に対する軸回転及び／又は横移動を防止する。環状体３８の内面４２内に位置付けられたねじ部４８は、両方とも以下に記載されるウェイトシステム５０及びグリップキャップ５２をインサート３４に選択的に螺合して取り付け、さらに最終的にグリップ１６に取り付けるように構成される。別の実施例では、インサート３４は、グリップ１６とオーバーモールドされてもよく、また、グリップ１６と伴に一体成形されてもよい。
【００１７】
図１から図４を参照すると、ウェイトシステム５０は、グリップ１６の第一端部２６内、及びシャフト１４のキャビティ２４内に選択的に挿入されてもよく、また、インサート３４と螺合するように構成される。ウェイトシステム５０は、ウェイトキャップ５４、スペーサ５６、ウェイト５８及びスリーブ６０を含む。
【００１８】
ウェイトキャップ５４は、金属又は高分子材料などの適切な材料から製造可能な環状部材である。ウェイトキャップ５４は、第一ねじ部６２、第一ねじ部６２の下に配置された第二ねじ部６４、及び第一ねじ部６２の上端６８に配置された固定ソケット６６を含む。ウェイトキャップ５４の第一ねじ部６２は、インサート３４のねじ部４８と螺合するように構成され、ウェイトシステム５０をグリップ１６に固定する。ウェイトキャップ５４の第二ねじ部６４は、以下に説明されるように、スペーサ５６と螺合するように構成される。ウェイトキャップ５４の上端６８は、グリップ１６と同じ材料から製造或いはオーバーモールドされてもよく、それによってウェイトシステム５０をグリップ１６に取り付けたときに「仕上げた」外観或いは一体感を提供する。固定ソケット６６は、例えば、六角キー（図示せず）などの固定キーと係合できる六角形でもよい。固定ソケット６６は、ウェイトキャップ５４及びウェイトシステム５０をインサート３４に締め付け及び取り付けるために使用されてもよく、或いは代替的に、ウェイトキャップ５４及びウェイトシステム５０をインサート３４から緩めて分離させるために使用されてもよい。
【００１９】
スペーサ５６は、金属、黒鉛、或いは高分子材料などの適切な材料から製造可能な細長部材である。スペーサ５６は、第一端部７０と、対向して配置された第二端部７２とを含む。第一端部７０では、スペーサ５６は、ウェイトキャップ５４の第二ねじ部６４と螺合するように構成された第一ねじ部７４を含む。第二端部７２では、スペーサ５６は、以下に記載されるように、ウェイト５８と螺合するように構成された第二ねじ部７６を含む。スペーサ５６は様々な長さを有しており、それによってシャフト１４の各端部１８、２０に対するゴルフクラブ１０の重心の位置をカスタマイズする機能を使用者に提供する。例えば、使用者は、ゴルフクラブ１０の重心の位置をヘッド１２に近づけるより長いスペーサを使用でき、或いは代替的に、ゴルフクラブ１０の重心の位置をグリップ１６に近づけるより短いスペーサを使用することもできる。
【００２０】
ウェイト５８は、金属又は黄銅などの適切な材料から製造可能な細長部材である。ウェイト５８は、第一端部７８と、対向して配置された第二端部８０とを含む。第一端部７８では、ウェイト５８は、スペーサ５６の第二ねじ部７６と螺合するように構成された第一ねじ部８２を含む。第二端部８０では、ウェイト５８は、さらなるウェイト（図示せず）を取り付けるための第二ねじ部（図示せず）を含んでもよい。ウェイト５８は、様々なウェイト量を備えることができ、ゴルフクラブ１０に付加されるウェイト量をカスタマイズする機能を使用者に提供する。
【００２１】
スリーブ６０は、発泡材又は高分子材料などの適切な材料から製造できる弾性的に圧縮可能な部材である。スリーブ６０は、ウェイト５８を覆って延在するように構成され、代替的には、ウェイト５８と一体化して形成されてもよい。ウェイトシステム５０をグリップ１６内及びシャフト１４のキャビティ２４内に挿入するとき、スリーブ６０が縮んでキャビティ２４と強く係合するように、スリーブ６０をシャフト１４のキャビティ２４よりも大きく構成してもよい。この点に関して、スリーブ６０は、キャビティ２４内でウェイト５８及びウェイトシステム５０の軸方向移動及び／又は径方向移動の影響を受けにくく、使用中にウェイト５８とウェイトシステム５０がキャビティ２４に対してぶつからない及び／又は振動しないようにできる。
【００２２】
図１から図５を参照し、ウェイトシステム５０をグリップ１６に取り付ける例示的な方法を説明する。ゴルフクラブ１０に対して望ましい追加ウェイト量であるウェイト５８を選択することができる。スリーブ６０は、ウェイト５８の上に装着されてもよい。ヘッド１２とグリップ１６との間の好適な位置にゴルフクラブ１０の重心を位置付けるための長さを有するスペーサ５６を選択することができる。ウェイト５８の第一ねじ部８２とスペーサ５６の第二ねじ部７６とは、螺合されてもよい。Loctite（登録商標）などの固定用接着剤をねじ部８２とねじ部７６との間に適用して、ウェイト５８とスペーサ５６との螺合を解除しないようにできる。スペーサ５６の第一ねじ部７４とウェイトキャップ５４の第二ねじ部６４とは螺合されてもよい。Loctite（登録商標）などの固定用接着剤をねじ部７４及びねじ部６４との間に適用して、スペーサ５６とウェイトキャップ５４との螺合を解除しないようにできる。ウェイトシステム５０は、グリップ１６の開口部３３内に挿入されてもよく、また、シャフト１４のキャビティ２４内に挿入されてもよい。ウェイトキャップ５４の固定ソケット６６をウェイトキャップ５４の第一ねじ部６２に螺合させるために固定キーを使用してもよい。Loctite（登録商標）などの固定用接着剤をねじ部６２とねじ部４８との間に適用して、ウェイトキャップ５４とインサート３４との螺合を解除しないようにできる。一度取り付けると、ウェイト５８の第二端部８０は、グリップ１６の第二端部２８と一致することが理解されるだろう。代替的に、ウェイト５８の第二端部８０は、グリップ１６の端部２６と端部２８の間の、例えば、図１に示すように第一端部２６に近接した何処かに位置づけ可能である。
【００２３】
ウェイトシステム５０は、ウェイトキャップ５４のねじ部６２をインサート３４のねじ部４８から外すことによってグリップ１６から取り外されてもよい。固定キーは、ウェイトキャップ５４の固定ソケット６６と係合して、各ねじ部６２とねじ部４８との間の係合を緩めてもよい。それに応じて、ウェイトシステム５０をグリップ１６から分離できる。
【００２４】
図６を参照すると、ウェイトシステム５０を経由してさらなるウェイトをゴルフクラブ１０に追加することが望ましくない場合、グリップキャップ５２を代わりにインサート３４に螺合させることができる。グリップキャップ５２は、金属又は高分子材料などの適切な材料から製造できる環状部材である。グリップキャップ５２は、ねじ部８６と、該ねじ部の上端９０に配置された固定ソケット８８とを含む。ねじ部８６は、ウェイトシステム５０をグリップ１６に取り付けない場合に、インサート３４のねじ部４８と螺合するように構成される。グリップキャップ５２の上端９０は、グリップ１６と同じ材料から製造或いはオーバーモールドされてもよく、それによってグリップキャップ５２がインサート３４と係合するときに「仕上げた」外観又は統一感を提供する。固定ソケット８８は、例えば、六角キー（図示せず）などの固定キーを使用して六角形でもよく、グリップキャップ５２のねじ部８６とインサート３４のねじ部４８とは、螺合して締め付けられてもよい。Loctite（登録商標）などの固定用接着剤をねじ部８６とねじ部４８との間に適用して、グリップキャップ５２とインサート３４との螺合を解除しないようにできる。
【００２５】
グリップキャップ５２は、グリップキャップ５２のねじ部８６をインサート３４のねじ部４８から外すことによってグリップ１６から取り外されてもよい。固定キーは、ねじ部８６、４８を緩めるために、グリップキャップ５２の固定ソケット８８との係合に使用されてもよい。それに応じて、グリップキャップ５２をグリップ１６から分離させることができる。
【００２６】
当業者は、上記の説明から本開示の広範な教示は様々な形態で実行可能であることが理解できる。それゆえ、本開示は特定の実施例を含むが、他の変形例は、各図面、明細書及び以下の請求項の検討に基づいて熟練した施術者に対して明らかとなるので、本開示の正確な範囲は限定されるべきではない。
【図１】
2016518227.tif 000003
【図２】
2016518227.tif 000004
【図３】
2016518227.tif 000005
【図４】
2016518227.tif 000006
【図５】
2016518227.tif 000007
【図６】
2016518227.tif 000008
【手続補正書】
【提出日】平成26年11月17日(2014.11.17)
【手続補正１】
【補正対象書類名】特許請求の範囲
【補正対象項目名】全文
【補正方法】変更
【補正の内容】
【特許請求の範囲】
【請求項１】
第一端部と第二端部とを有し、前記第一端部は、ゴルフクラブシャフトを受容するように構成され、前記第二端部は開口部を含む細長グリップと、
前記開口部に受容されたインサートであって、前記インサートの内面は第一ねじ部を有し、前記インサートの外面は前記細長グリップに係合する複数の突起を有し、前記インサートは上面を有するフランジを有し、前記フランジの上面は、前記インサートが前記開口部に受容された場合、前記細長グリップの前記第二端部と同一平面上になるインサートと
を備えるゴルフクラブグリップ組立品。
【請求項２】
（削除）
【請求項３】
（削除）
【請求項４】
（削除）
【請求項５】
（削除）
【請求項６】
第一ウェイト端部と第二ウェイト端部とを備えるウェイトであって、前記第一ウェイト端部は、前記インサートの前記第一ねじ部と係合するように構成された第二ねじ部を備えるウェイトとを備える請求項１記載のグリップ組立品。
【請求項７】
前記ウェイトは、第一ウェイト端部が前記細長グリップと同一平面上になるように前記インサート内に受容される、請求項６に記載のグリップ。
【請求項８】
（削除）
【請求項９】
前記第一ウェイト端部は、固定キーを有する、請求項６に記載のグリップ。
【請求項１０】
前記第一ねじ部と前記第二ねじ部との間に配置された固定用接着剤をさらに備える、請求項６に記載のグリップ。
【請求項１１】
ヘッドと、
第一シャフト端部と第二シャフト端部とを有し、前記第二シャフト端部は前記ヘッドに固定されるシャフトと、
請求項１に記載のゴルフクラブグリップ組立品と
を備える、ゴルフクラブ。
【請求項１２】
前記ヘッドは、パター、ウェッジ及びドライバーのうちの一つを備える、請求項１１に記載のゴルフクラブ。
【請求項１３】
（削除）
【請求項１４】
（削除）
【請求項１５】
（削除）
【請求項１６】
（削除）
【請求項１７】
（削除）
【請求項１８】
（削除）
【請求項１９】
（削除）
【請求項２０】
（削除）
【国際調査報告】
2016518227.tif 000009
2016518227.tif 000010
2016518227.tif 000011